(57)【要約】【課題】基地局のＳＴＴＤエンコーダの機能を評価する。【解決手段】基地局１ａの第１、第２アンテナ２ａ、２ｂから出力される第１、第２のＷ−ＣＤＭＡ信号１４ａ、１４ｂに組込まれた第１、第２送信データ９ａ、９ｂを、測定してそれぞれ第１コードデータ、第２コードデータとして表示器４３に表示する。第２コードデータをＳＴＴＤデコーダ４０で復号し、第２コード復号データとし表示器に表示し、第２コード復号データの第１コードデータとの一致、不一致の判定結果も表示器に表示する。  したがって、操作者（試験実施者）は、基地局に組込まれたＳＴＴＤエンコーダの機能の良否を一瞥して確認できる。【選択図】      図３
2006060559.tif 000002
【特許請求の範囲】
【請求項１】
送信データをＳＴＴＤエンコーダで前記送信データに等しいデータ配列を有する第１送信データと前記送信データと異なるデータ配列を有する第２送信データとに符号化し、この第１、第２送信データを、変調、拡散して、第１、第２のＷ−ＣＤＭＡ信号としてダイバーシチアンテナを構成する第１、第２アンテナからそれぞれ出力する基地局における前記ＳＴＴＤエンコーダの機能を試験するＳＴＴＤ機能試験システムであって、
前記基地局の第１アンテナから出力される第１のＷ−ＣＤＭＡ信号を受信して、逆拡散、復調して前記第１送信データを抽出して第１コードデータとして出力する第１の送信データ抽出手段と、
前記基地局の第２アンテナから出力される第２のＷ−ＣＤＭＡ信号を受信して、逆拡散、復調して前記第２送信データを抽出して第２コードデータとして出力する第２の送信データ抽出手段と、
前記第２コードデータをＳＴＴＤ復号化して第２コード復号データとし出力するＳＴＴＤデコーダと、
前記第２コード復号データが前記第１コードデータに一致するか否かを判定して判定結果を出力する比較部と、
前記出力された前記第１コードデータ、前記第２コードデータ、前記第２コード復号データ、及び前記判定結果を表示器に一覧表示する表示制御手段と
を備えたことを特徴とするＳＴＴＤ機能試験システム。
【請求項２】
送信データをＳＴＴＤエンコーダ（６）で前記送信データに等しいデータ配列を有する第１送信データと前記送信データと異なるデータ配列を有する第２送信データとに符号化し、この第１、第２送信データを、変調、拡散して、第１、第２のＷ−ＣＤＭＡ信号としてダイバーシチアンテナを構成する第１、第２アンテナ（２ａ、２ｂ）からそれぞれ出力する基地局（１ａ）における前記ＳＴＴＤエンコーダの機能を試験するＳＴＴＤ機能試験システムであって、
前記ＳＴＴＤエンコーダに入力する送信データとして周期データ（１７）を採用し、
Ｗ−ＣＤＭＡ信号を受信して、逆拡散、復調してこのＷ−ＣＤＭＡ信号に含まれる送信データを抽出して出力する測定器（１０）と、
この測定器に対する測定制御を行う測定制御装置（１１）とを備え、
前記測定器は、
前記測定制御装置の第１アンテナを指定した測定指示に応じて、前記基地局の第１アンテナから出力される第１のＷ−ＣＤＭＡ信号を受信して、逆拡散、復調して前記第１送信データを抽出して第１コードデータとして出力する第１の受信手段と、
前記測定制御装置の第２アンテナを指定した測定指示に応じて、前記基地局の第２アンテナから出力される第２のＷ−ＣＤＭＡ信号を受信して、逆拡散、復調して前記第２送信データを抽出して第２コードデータとして出力する第２の受信手段とを有し、
前記測定制御装置は、
前記測定器が第１アンテナからの信号受信可能状態時に前記測定器に第１アンテナを指定した測定指示を出力するともに、前記測定器が第２アンテナからの信号受信可能状態時に前記測定器に第２アンテナを指定した測定指示を出力する測定指示手段（３４）と、
前記第２の受信手段から出力される第２コードデータをＳＴＴＤ復号化して第２コード復号データとし出力するＳＴＴＤデコーダ（４０）と、
前記第２コード復号データが前記第１の受信手段から出力される第１コードデータに一致するか否かを判定して判定結果を出力する比較部（４２）と、
前記出力された第１コードデータ、前記第２コードデータ、前記第２コード復号データ、及び前記判定結果を表示器（４３）に一覧表示する表示制御手段（３９）とを有する
ことを特徴とするＳＴＴＤ機能試験システム。
【請求項３】
送信データをＳＴＴＤエンコーダ（６）で前記送信データに等しいデータ配列を有する第１送信データと前記送信データと異なるデータ配列を有する第２送信データとに符号化し、この第１、第２送信データを、変調、拡散して、第１、第２のＷ−ＣＤＭＡ信号としてダイバーシチアンテナを構成する第１、第２アンテナからそれぞれ出力する基地局（１ｂ）における前記ＳＴＴＤエンコーダの機能を試験するＳＴＴＤ機能試験システムであって、
入力されたトリガ信号に応動して、前記基地局の第１アンテナから出力される第１のＷ−ＣＤＭＡ信号を受信して、逆拡散、復調して前記第１送信データを抽出して第１コードデータとして出力する第１の測定器（１０ａ）と、
入力されたトリガ信号に応動して、前記基地局の第２アンテナから出力される第２のＷ−ＣＤＭＡ信号を受信して、逆拡散、復調して前記第２送信データを抽出して第２コードデータとして出力する第２の測定器（１０ｂ）と、
前記第１、第２の測定器に対する測定制御を行う測定制御装置（１１ａ）とを備え、
前記測定制御装置は、
前記第１、第２の測定器に対して同時にトリガ信号を印加するトリガ信号印加手段（３４、５１）と、
前記第２の測定器から出力される第２コードデータをＳＴＴＤ復号化して第２コード復号データとし出力するＳＴＴＤデコーダ（４０）と、
前記第２コード復号データが前記第１の測定器から出力される第１コードデータに一致するか否かを判定して判定結果を出力する比較部（４２）と、
前記出力された第１コードデータ、前記第２コードデータ、前記第２コード復号データ、及び前記判定結果を表示器（４３）に一覧表示する表示制御手段（３９）とを有する
ことを特徴とするＳＴＴＤ機能試験システム。
【発明の詳細な説明】
【技術分野】
【０００１】
本発明は、基地局と移動局（携帯端末）との間の通信信号にＷ−ＣＤＭＡ信号を採用した移動通信システムにおける基地局に組込まれたＳＴＴＤエンコーダの機能を試験するＳＴＴＤ機能試験システムに関する。
【背景技術】
【０００２】
第３世代の移動体通信システムにおける無線通信方式の一つとして、Ｗ―ＣＤＭＡ（Wideband Code Division Multiple Access  広帯域符号分割多元接続）が提唱されている。この通信方式を用いる場合、基地局と移動局（携帯端末）との間で送受される信号内には、Ｗ―ＣＤＭＡの通信規格（３ＧＰＰ）に従って送受信される多数のデータが多重化されて組込まれている。
【０００３】
さらに、この移動通信システムにおいては、図１０に示すように、移動局１のアンテナとしてダイバーシチアンテナ２を採用して、移動局１は、このダイバーシチアンテナ２を構成する第１アンテナ（アンテナ１）２ａ及び第２アンテナ（アンテナ２）２ｂから、同一の送信データから符号化された互いに異なるデータ配列を有する送信データが組込まれた第１のＷ−ＣＤＭＡ信号３ａと第２のＷ−ＣＤＭＡ信号３ｂを送信し、移動局（携帯端末）４は、一つのアンテナ５で二つのＷ−ＣＤＭＡ信号３ａ、３ｂを同時に受信するようにしている。
【０００４】
図１１は、上述した送信ダイバーシチを採用した基地局１における概略動作を説明するための模式図である。送信データ９は、ＳＴＴＤ（Space Time block coding Transmit antenna Diversity  時間空間ブロック送信アンテナダイバーシチ）エンコーダ６へ入力される。
【０００５】
このＳＴＴＤエンコーダ６は、図１２に示すように、入力した任意の４ビットのデータ配列［ｂ０、ｂ１、ｂ２、ｂ３］を有する１シンボル分の送信データ９毎に、この１シンボル分の送信データ９を、元の送信データ９に等しいデータ配列［ｂ０、ｂ１、ｂ２、ｂ３］を有する第１送信データ９ａと、元の送信データ９と異なるデータ配列［ｂ２＊、ｂ３、ｂ０、ｂ１＊］を有する第２送信データ９ｂとに符号化する。但し、図中、ｂ２＊、ｂ１＊はｂ２、ｂ１の反転符号である。
【０００６】
なお、図１２に示すＳＴＴＤエンコーダ６は、第１、第２送信データ９ａ、９ｂがＱＰＳＫの変調方式で変調される条件を示している。第１、第２送信データ９ａ、９ｂが１６ＱＡＭの変調方式で変調される場合は、１シンボル分の送信データ９は８ビットで構成される。
【０００７】
図１１において、ＳＴＴＤエンコーダ６から出力された第１送信データ９ａは、図示しない変調部で位相変調され、拡散部７ａでコード拡散され、高周波回路８ａで高周波信号に周波数変換されて、第１アンテナ２ａから第１のＷ−ＣＤＭＡ信号３ａとして出力される。一方、ＳＴＴＤエンコーダ６から出力された第２送信データ９ｂは、図示しない変調部で位相変調され、拡散部７ｂでコード拡散され、高周波回路８ｂで高周波信号に周波数変換されて、第２アンテナ２ｂから第２のＷ−ＣＤＭＡ信号３ｂとして出力される。
【０００８】
このように、基地局１から、同一の送信データ９から符号化された互いに異なるデータ配列を有する第１、第２送信データ９ａ、９ｂが組込まれた第１のＷ−ＣＤＭＡ信号３ａと第２のＷ−ＣＤＭＡ信号３ｂを移動局（携帯端末）４へ同時に送信することにより、移動局（携帯端末）４側において、合成された状態で受信された第１、第２送信データ９ａ、９ｂにおける誤り（ビット誤り）を分散（ランダム）化でき、誤り訂正効果を高めることができる。
【０００９】
そして、この誤り訂正後に、第１、第２送信データ９ａ、９ｂを分離して、分離した第１、第２送信データ９ａ、９ｂを、ＳＴＴＤデコーダを用いて元の送信データ９へ復号する。
【００１０】
したがって、移動局（携帯端末）４側において、基地局１かららのＷ−ＣＤＭＡ信号を誤りなく高い精度で受信するためには、基地局１における送信ダイバーシチの機能が正常に動作していることが大前提となる。
【発明の開示】
【発明が解決しようとする課題】
【００１１】
したがって、Ｗ―ＣＤＭＡの規格を採用した第３世代の移動通信システムやＨＳＤＰＡ（High Speed Downlink Packet Access）の規格を採用した第３．５世代の移動通信システムにおける基地局１に組込まれたＳＴＴＤエンコーダ６が正常に動作していることを、この基地局１のダイバーシチアンテナ２を構成する第１、第２アンテナ２ａ、２ｂから出力される第１、第２のＷ−ＣＤＭＡ信号３ａ、３ｂを受信して解析することによって、簡単に検証できるＳＴＴＤ機能試験システムの開発が望まれている。
【００１２】
本発明はこのような事情に鑑みてなされたものであり、基地局のダイバーシチアンテナを構成する第１、第２アンテナから出力される第１、第２のＷ−ＣＤＭＡ信号を受信して解析することによって、基地局に組込まれたＳＴＴＤエンコーダが送信データを正しく第１、第２送信データに符号化していることを、精度よくかつ簡単に検証できるＳＴＴＤ機能試験システムを提供することを目的とする。
【課題を解決するための手段】
【００１３】
本発明は、送信データをＳＴＴＤエンコーダで前記送信データに等しいデータ配列を有する第１送信データと前記送信データと異なるデータ配列を有する第２送信データとに符号化し、この第１、第２送信データを、変調、拡散して、第１、第２のＷ−ＣＤＭＡ信号としてダイバーシチアンテナを構成する第１、第２アンテナからそれぞれ出力する基地局におけるＳＴＴＤエンコーダの機能を試験するＳＴＴＤ機能試験システムである。
【００１４】
そして、上記課題を解消するために、本発明のＳＴＴＤ機能試験システムにおいては、基地局の第１アンテナから出力される第１のＷ−ＣＤＭＡ信号を受信して、逆拡散、復調して第１送信データを抽出して第１コードデータとして出力する第１の送信データ抽出手段と、基地局の第２アンテナから出力される第２のＷ−ＣＤＭＡ信号を受信して、逆拡散、復調して第２送信データを抽出して第２コードデータとして出力する第２の送信データ抽出手段と、第２コードデータをＳＴＴＤ復号化して第２コード復号データとし出力するＳＴＴＤデコーダと、第２コード復号データが第１コードデータに一致するか否かを判定して判定結果を出力する比較部と、出力された第１コードデータ、第２コードデータ、第２コード復号データ、及び判定結果を表示器に一覧表示する表示制御手段とを備えている。
【００１５】
このように構成されたＳＴＴＤ機能試験システムにおいては、基地局の第１、第２アンテナから出力される第１、第２のＷ−ＣＤＭＡ信号に組込まれた第１、第２送信データは、それぞれ第１コードデータ、第２コードデータとして表示器に表示される。さらに、第２コードデータはＳＴＴＤデコーダで復号され、第２コード復号データとし表示器に表示される。
【００１６】
本発明のＳＴＴＤ試験システムに組込まれたＳＴＴＤデコーダは、基地局に組込まれたＳＴＴＤエンコーダに対して逆の復号化処理を行う。さらに、このＳＴＴＤデコーダは正常に復号化動作を実施すると見なすと、復号された第２コード復号データは、第１コードデータに一致するはずである。そして、復号された第２コード復号データが第１コードデータに不一致の場合は、基地局に組込まれたＳＴＴＤエンコーダが送信データを正常に第１、第２送信データに符号化できなかったと判断できる。比較部で一致するか否かが判定される。
【００１７】
第１コードデータ、第２コードデータ、第２コード復号データ、及び判定結果が表示器に一覧表示されるので、操作者（試験実施者）は、基地局に組込まれたＳＴＴＤエンコーダの機能の良否を一瞥して確認できる。
【００１８】
また、別の発明は、上述した機能を有するＳＴＴＤ機能試験システムにおいて、ＳＴＴＤエンコーダに入力する送信データとして周期データを採用し、Ｗ−ＣＤＭＡ信号を受信して、逆拡散、復調してこのＷ−ＣＤＭＡ信号に含まれる送信データを抽出して出力する測定器と、この測定器に対する測定制御を行う測定制御装置とを備えている。
【００１９】
そして、測定器は、測定制御装置の第１アンテナを指定した測定指示に応じて、基地局の第１アンテナから出力される第１のＷ−ＣＤＭＡ信号を受信して、逆拡散、復調して第１送信データを抽出して第１コードデータとして出力する第１の受信手段と、測定制御装置の第２アンテナを指定した測定指示に応じて、基地局の第２アンテナから出力される第２のＷ−ＣＤＭＡ信号を受信して、逆拡散、復調して第２送信データを抽出して第２コードデータとして出力する第２の受信手段とを有している。
【００２０】
さらに、測定制御装置は、測定器が第１アンテナからの信号受信可能状態時に測定器に第１アンテナを指定した測定指示を出力するともに、測定器が第２アンテナからの信号受信可能状態時に測定器に第２アンテナを指定した測定指示を出力する測定指示手段と、第２の受信手段から出力される第２コードデータをＳＴＴＤ復号化して第２コード復号データとし出力するＳＴＴＤデコーダと、第２コード復号データが第１の受信手段から出力される第１コードデータに一致するか否かを判定して判定結果を出力する比較部と、出力された第１コードデータ、第２コードデータ、第２コード復号データ、及び判定結果を表示器に一覧表示する表示制御手段とを有する。
【００２１】
このように構成されたＳＴＴＤ機能試験システムは、１台の測定器で、基地局の第１、第２アンテナから出力される第１、第２のＷ−ＣＤＭＡ信号を異なる時間帯で受信して、第１、第２コードデータを出力する。そして、測定制御装置は、この１台の測定器で測定された第１、第２コードデータを用いて、基地局のＳＴＴＤエンコーダの機能を評価する。
【００２２】
この場合、異なる時間帯で受信される第１、第２のＷ−ＣＤＭＡ信号に同一の送信データから符号化された第１、第２送信データが組込まれる必要があるので、基地局のＳＴＴＤエンコーダに入力する送信データとして周期データを採用している。
【００２３】
また、別の発明は、上述した機能を有するＳＴＴＤ機能試験システムにおいて、入力されたトリガ信号に応動して、基地局の第１アンテナから出力される第１のＷ−ＣＤＭＡ信号を受信して、逆拡散、復調して第１送信データを抽出して第１コードデータとして出力する第１の測定器と、入力されたトリガ信号に応動して、基地局の第２アンテナから出力される第２のＷ−ＣＤＭＡ信号を受信して、逆拡散、復調して第２送信データを抽出して第２コードデータとして出力する第２の測定器と、第１、第２の測定器に対する測定制御を行う測定制御装置とを備えている。
【００２４】
そして、測定制御装置は、第１、第２の測定器に対して同時にトリガ信号を印加するトリガ信号印加手段と、第２の測定器から出力される第２コードデータをＳＴＴＤ復号化して第２コード復号データとし出力するＳＴＴＤデコーダと、第２コード復号データが第１の測定器から出力される第１コードデータに一致するか否かを判定して判定結果を出力する比較部と、出力された第１コードデータ、第２コードデータ、第２コード復号データ、及び前記判定結果を表示器に一覧表示する表示制御手段とを有する。
【００２５】
このように構成されたＳＴＴＤ機能試験システムは、２台の測定器で、基地局の第１、第２アンテナから出力される第１、第２のＷ−ＣＤＭＡ信号を同一時間で受信して、第１、第２コードデータを出力する。そして、測定制御装置は、この２台の測定器で測定された第１、第２コードデータを用いて、基地局のＳＴＴＤエンコーダの機能を評価する。
【００２６】
この場合、第１、第２のＷ−ＣＤＭＡ信号に同一の送信データから符号化された第１、第２送信データが組込まれる必要があるので、測定制御装置は、各測定器に対して同時にトリガ信号を印加する。
【発明の効果】
【００２７】
本発明においては、基地局の第１、第２アンテナから出力される第１、第２のＷ−ＣＤＭＡ信号に組込まれた第１、第２送信データは、それぞれ第１コードデータ、第２コードデータとして表示器に表示される。第２コードデータはＳＴＴＤデコーダで復号され、第２コード復号データとし表示器に表示され、第２コード復号データの第１コードデータとの一致、不一致の判定結果も表示器に表示される。したがって、操作者（試験実施者）は、基地局に組込まれたＳＴＴＤエンコーダの機能の良否を一瞥して確認できる。
【発明を実施するための最良の形態】
【００２８】
以下、本発明の各実施形態を図面を用いて説明する。
【００２９】
（第１実施形態）
図１は本発明の第１実施形態に係わるＳＴＴＤ機能試験システムの全体構成を示す模式図である。図１０、図１１、図１２と同一部分には同一符号を付して重複する部分の詳細説明は省略する。
【００３０】
この第１実施形態のＳＴＴＤ機能試験システムは、１台の測定器１０とコンピュータからなる１台の測定制御装置１１とで構成されている。測定器１０の入力端子１２には、基地局１ａのダイバーシチアンテナ２を構成する第１アンテナ２ａ、第２アンテナ２ｂに接続された信号線１３ａ、１３ｂのいずれか一方の信号線１３ａ、１３ｂが選択的に接続される。第１アンテナ２ａ及び信号線１３ａを介して第１のＷ−ＣＤＭＡ信号１４ａが出力され、第２アンテナ２ｂ及び信号線１３ｂを介して第２のＷ−ＣＤＭＡ信号１４ｂが出力される。測定器１０と測定制御装置１１とは信号ケーブル１５で接続されている。
【００３１】
図２はこの第１実施形態のＳＴＴＤ機能試験システムの試験対象としての基地局１ａの概略構成を示すブロック図である。通常運転時においては、各チャネルの送信データ９は、切換スイッチ１６を介して、ＳＴＴＤエンコーダ６へ入力される。そして、ＳＴＴＤエンコーダ６に対する試験期間においては、切換スイッチ１６を切り換えて、ＳＴＴＤエンコーダ６へ入力される信号データとして、一定周期で同一データ列が繰り返される試験データ１７が採用される。
【００３２】
ＳＴＴＤエンコーダ６は、図１２に示すように、入力された送信データ９（試験データ１７）を、送信データ９に等しいデータ配列を有する第１送信データ９ａと送信データ９と異なるデータ配列を有する第２送信データ９ｂとに符号化し、第１送信データ９ａを一方の変調部１８ａへ送出し、第２送信データ９ｂを他方の変調部１８ｂへ送出する。
【００３３】
ＳＴＴＤエンコーダ６から出力された第１送信データ９ａは、変調部１８ａで例えばＱＰＳＫの変調方式で位相変調され、拡散部１９ａでコード拡散され、加算部２０ａで他のチャネルの信号と加算され、スクランブル回路２１ａでスクランブル化され、高周波回路２２ａで高周波信号に周波数変換されて、第１アンテナ２ａから第１のＷ−ＣＤＭＡ信号１４ａとして出力される。
【００３４】
一方、ＳＴＴＤエンコーダ６から出力された第２送信データ９ｂは、変調部１８ｂで例えばＱＰＳＫの変調方式で位相変調され、拡散部１９ｂでコード拡散され、加算部２０ｂで他のチャネルの信号と加算され、スクランブル回路２１ｂでスクランブル化され、高周波回路２２ｂで高周波信号に周波数変換されて、第２アンテナ２ｂから第２のＷ−ＣＤＭＡ信号１４ｂとして出力される。
【００３５】
図４は各Ｗ−ＣＤＭＡ信号１４ａ、１４ｂの伝送フォーマットを示す図である。１０ｍｓ時間長を有する１フレームは１５個のスロット２４で構成されている。  
図３は測定器１０と測定制御装置１１の概略構成を示すブロック図である。
【００３６】
測定器１０の入力端子１２に入力された第１のＷ−ＣＤＭＡ信号１４ａ又は第２のＷ−ＣＤＭＡ信号１４ｂからなる被測定信号ａは、周波数変換部２５で中間周波数に周波数変換された後、Ａ／Ｄ変換部２６でＡ／Ｄ変換される。Ａ／Ｄ変換されたデジタルの被測定信号ａはデータメモリ２８へ書込まれる。
【００３７】
このデータメモリ２８は、図４に示す伝送フォーマットを有する被測定信号ａの数フレーム分のデータを記憶することが可能である。スロット位置検出部２９は、このデータメモリ２８に記憶された被測定信号ａにおける各スロット２４の開始位置を検出して、被測定信号ａにおける１スロット分のデータをデータメモリ２８から読出して、１スロットメモリ３０に書込む。より具体的には、被測定信号ａの１フレームを構成する０番のスロット２４から１４番のスロット２４を順番に読出して１スロットメモリ３０に順番に書込む。
【００３８】
１スロットメモリ３０に書込まれた１スロット分の被測定信号ａはスクランブル解除部３１で、スクランブル解除されたのち、逆拡散部３２で元の複数のチャネルの信号に戻される。チャネル選択部３３は、測定制御装置１１の操作部３４からの選択指令に基づいて１つのチャネルの信号を選択して復調部３５へ送出する。
【００３９】
復調部３５は、入力された例えばＱＰＳＫの変調方式で変調された指定チャネルの信号を復調して、この第１のＷ−ＣＤＭＡ信号１４ａ又は第２のＷ−ＣＤＭＡ信号１４ｂからなる被測定信号ａに含まれる第１送信データ９ａ又は第２送信データ９ｂを得て、アンテナ指定部３６へ送出する。さらに、復調部３５は、入力された第１のＷ−ＣＤＭＡ信号１４ａ又は第２のＷ−ＣＤＭＡ信号１４ｂからなる被測定信号ａの変調方式を測定制御装置１１内の表示制御部３９へ送出する。
【００４０】
アンテナ指定部３６は、測定制御装置１１の操作部３４から第１アンテナ２ａの選択指令が入力されると、この測定器１０の入力端子１２には、信号線１３ａを介して、第１アンテナ２ａから第１のＷ−ＣＤＭＡ信号１４ａが入力されていると判断して、第１送信データ９ａを、第１コードデータとして、測定制御装置１１内の第１アンテナデータメモリ３７へ書込む。
【００４１】
また、アンテナ指定部３６は、測定制御装置１１の操作部３４から第２アンテナ２ｂの選択指令が入力されると、この測定器１０の入力端子１２には、信号線１３ｂを介して、第２アンテナ２ｂから第２のＷ−ＣＤＭＡ信号１４ｂが入力されていると判断して、第２送信データ９ｂを、第２コードデータとして、測定制御装置１１内の第２アンテナデータメモリ３８へ書込む。
【００４２】
第１アンテナデータメモリ３７に書込まれた第１コードデータ、及び第２アンテナデータメモリ３８に書込まれた第２コードデータは、表示制御部２９へ入力されるとともに、ＳＴＴＤデコーダ４０へ入力される。ＳＴＴＤデコーダ４０は、基地局１ａに組込まれたＳＴＴＤエンコーダ６に対して逆の復号化処理を行う。ＳＴＴＤデコーダ４０は、入力した第２コードデータを、第１コードデータを用いて、ＳＴＴＤ復号化して第２コード復号データとし出力して、第２アンテナ復号データメモリ４１に書込む。
【００４３】
第２アンテナ復号データメモリ４１に書込まれた第２コード復号データは、表示制御部３９へ入力されるとともに、比較部４２へ入力される。前述したように、ＳＴＴＤデコーダ４０は正常に復号化動作を実施すると見なすと、試験対象の基地局１ａのＳＴＴＤエンコーダ６が正常な場合、復号された第２コード復号データは、第１コードデータに一致するはずである。
【００４４】
そこで、比較部４２は、第２コード復号データが第１コードデータに一致するか否かを判定して、一致の場合、基地局１ａのＳＴＴＤエンコーダ６に対する「良（ＯＫ）」、不一致の場合、基地局１ａのＳＴＴＤエンコーダ６に対する「不良（ＮＧ）」の判定結果を表示制御部３９へ送出する。
【００４５】
表示制御部３９は、第１コードデータ、第２コードデータ、第２コード復号データ、判定結果、及び変調方式を、各スロット２４毎に、表示器４３に一覧表示する。
【００４６】
図５に表示器４３の表示内容を示す。各スロット２４毎に、変調方式、判定結果、第１アンテナ２ａの第１コードデータ４４、第２アンテナ２ｂの第２コード復号データ４５、第２アンテナ２ｂの第２コードデータ４６が一覧表形式で表示される。
【００４７】
なお、「不良（ＮＧ）」の判定結果が存在する場合、「不良（ＮＧ）」のスロット２４のデータ部分をマウスでクリックすると、図６に示すように、判定結果の画面が開かれ、誤りビットが赤色表示される。
【００４８】
このように構成された第１実施形態のＳＴＴＤ機能試験システムにおいては、操作者（試験実施者）は、最初に、第１アンテナ２ａの信号線１３ａを測定器１０の入力端子１２に接続して、第１のＷ−ＣＤＭＡ信号１４ａを測定器１０に取込む。そして、測定制御装置１１の操作部３４から、第１アンテナ２ａの選択指示を測定器１０に与える。この結果、測定器１０において第１のＷ−ＣＤＭＡ信号１４ａ（第１アンテナ２ａ）の第１コードデータ４４が抽出されて表示器４３に表示される。
【００４９】
次に、操作者（試験実施者）は、第２アンテナ２ｂの信号線１３ｂを測定器１０の入力端子１２に接続して、第２のＷ−ＣＤＭＡ信号１４ｂを測定器１０に取込む。そして、測定制御装置１１の操作部３４から、第２アンテナ２ｂの選択指示を測定器１０に与える。この結果、測定器１０において第２のＷ−ＣＤＭＡ信号１４ｂ（第２アンテナ２ｂ）の第２コードデータ４６が抽出されて表示器４３に表示される。同時に、第２アンテナ２ｂの第２コード復号データ４５、及び基地局１ａのＳＴＴＤエンコーダ６に対する良否の判定結果が表示される。
【００５０】
なお、異なる時間帯で受信される第１、第２のＷ−ＣＤＭＡ信号１４ａ、１４ｂに同一の送信データから符号化された第１、第２送信データ９ａ，９ｂが組込まれる必要があるので、基地局１ａのＳＴＴＤエンコーダ６に入力する送信データとして、一定周期で同一データ列が繰り返される試験データ１７が採用されている。
【００５１】
このように第１実施形態のＳＴＴＤ機能試験システムにおいては、１台の測定器１０及び１台の測定性制御装置１１で、基地局１ａのＳＴＴＤエンコーダ６の機能試験が簡単に実施可能となる。
【００５２】
なお、本発明はこの第１実施形態に係わるＳＴＴＤ機能試験システムに限定されるものではない。測定制御装置１１が有する機能を測定器１０に組込むことが可能である。このようにすることにより、ＳＴＴＤ機能試験システムを１台の測定器１０で構成することが可能となる。
【００５３】
（第２実施形態）
図７は本発明の第２実施形態に係わるＳＴＴＤ機能試験システムの全体構成を示す模式図である。図１に示す第１実施形態に係わるＳＴＴＤ機能試験システムと同一部分には同一符号を付して重複する部分の詳細説明は省略する。
【００５４】
この第２実施形態のＳＴＴＤ機能試験システムは、同一構成の２台の測定器１０ａ、１０ｂとコンピュータからなる１台の測定制御装置１１ａとで構成されている。第１の測定器１０ａの入力端子１２には、基地局１ｂのダイバーシチアンテナ２を構成する第１アンテナ２ａに接続された信号線１３ａが接続される。第１アンテナ２ａ及び信号線１３ａを介して第１のＷ−ＣＤＭＡ信号１４ａが出力され、第１の測定器１０ａへ入力される。
【００５５】
一方、第２の測定器１０ｂの入力端子１２には、基地局１ｂのダイバーシチアンテナ２を構成する第２アンテナ２ｂに接続された信号線１３ｂが接続される。第２アンテナ２ｂ及び信号線１３ｂを介して第２のＷ−ＣＤＭＡ信号１４ｂが出力され、第２の測定器１０ｂへ入力される。第１、第２の測定器１０ａ、１０ｂと測定制御装置１１ａとは信号ケーブル１５及び信号線５０で接続されている。
【００５６】
図８はこの第２実施形態のＳＴＴＤ機能試験システムの試験対象としての基地局１ｂの概略構成を示すブロック図である。図２に示す基地局１ａと同一部分には同一符号を付して重複する部分の詳細説明は省略する。
【００５７】
この第２実施形態のＳＴＴＤ機能試験システムの試験対象としての基地局１ｂにおいては、各チャネルのＳＴＴＤエンコーダ６には、送信データ９のみが入力されている。すなわち、通常運転時、及びＳＴＴＤエンコーダ６に対する試験期間においても、各チャネルのＳＴＴＤエンコーダ６には、送信データ９のみが入力されている。
【００５８】
したがって、第１アンテナ２ａ及び信号線１３ａを介して第１送信データ９ａが組込まれた第１のＷ−ＣＤＭＡ信号１４ａが出力され、第２アンテナ２ｂ及び信号線１３ｂを介して第２送信データ９ｂが組込まれた第２のＷ−ＣＤＭＡ信号１４ｂが出力される。
【００５９】
図９は第１の測定器１０ａと第２の測定器１０ｂと測定制御装置１１ａの概略構成を示すブロック図である。図３に示す第１実施形態のＳＴＴＤ機能試験システムにおける測定器１０と測定制御装置１１と同一部分には同一符号を付して重複する部分の詳細説明は省略する。
【００６０】
第１の測定器１０ａの入力端子１２に入力された第１のＷ−ＣＤＭＡ信号１４ａからなる被測定信号ａ1は、周波数変換部２５で中間周波数に周波数変換された後、Ａ／Ｄ変換部２６でＡ／Ｄ変換される。Ａ／Ｄ変換されたデジタルの被測定信号ａは取込タイミング制御部２７へ印加される。この取込タイミング制御部２７は測定制御装置１１ａのトリガ発生回路５１から信号線５０を介してトリガ信号が入力されると、このトリガ信号入力に同期して、印加されている被測定信号ａ1を取込んでデータメモリ２８へ書込む。トリガ発生回路５１は操作部３４にて起動されるので、被測定信号ａ1の取込開始タイミングは、操作部３４からの指示にて定まる。
【００６１】
スロット位置検出部２９は、このデータメモリ２８に記憶された被測定信号ａ1における各スロット２４の開始位置を検出して、被測定信号ａ1における１スロット分のデータをデータメモリ２８から読出して、１スロットメモリ３０に書込む。
【００６２】
１スロットメモリ３０に書込まれた１スロット分の被測定信号ａ1はスクランブル解除部３１で、スクランブル解除されたのち、逆拡散部３２で元の複数のチャネルの信号に戻される。チャネル選択部３３は、測定制御装置１１aの操作部３４からの選択指令に基づいて１つのチャネルの信号を選択して復調部３５へ送出する。
【００６３】
復調部３５は、入力された指定チャネルの信号を復調して、この第１のＷ−ＣＤＭＡ信号１４ａからなる被測定信号ａ1に含まれる第１送信データ９ａを得て、この第１送信データ９ａを第１コードデータとして、測定制御装置１１ａ内の第１アンテナデータメモリ３７へ書込む。
【００６４】
同様に、第２の測定器１０ｂは、入力端子１２に入力された第２のＷ−ＣＤＭＡ信号１４ｂからなる被測定信号ａ2を、測定制御装置１１ａからのトリガ信号入力に同期して取込んで、データメモリ２８へ書込む。そして、この第２のＷ−ＣＤＭＡ信号１４ｂからなる被測定信号ａ2に含まれる第２送信データ９ｂを得て、この第２送信データ９ｂを第２コードデータとして、測定制御装置１１ａ内の第２アンテナデータメモリ３８へ書込む。
【００６５】
第１の測定器１０ａにおける第１のＷ−ＣＤＭＡ信号１４ａの取込タイミングと、第２の測定器１０ｂにおける第２のＷ−ＣＤＭＡ信号１４ｂの取込タイミングとは測定制御装置１１ａからのトリガ信号にて等しく設定されているので、第１、第２のＷ−ＣＤＭＡ信号１４ａ、１４ｂに同一の送信データ９から符号化された第１、第２送信データ９ａ、９ｂが組込まれている。
【００６６】
ＳＴＴＤデコーダ４０は、入力した第２コードデータを、第１コードデータを用いて、ＳＴＴＤ復号化して第２コード復号データとし出力して、第２アンテナ復号データメモリ４１に書込む。比較部４２は、第２コード復号データが第１コードデータに一致するか否かを判定して、一致の場合、基地局１ｂのＳＴＴＤエンコーダ６に対する「良（ＯＫ）」、不一致の場合、基地局１ｂのＳＴＴＤエンコーダ６に対する「不良（ＮＧ）」の判定結果を表示制御部３９へ送出する。
【００６７】
表示制御部３９は、第１コードデータ、第２コードデータ、第２コード復号データ、判定結果、及び変調方式を、各スロット２４毎に、図５に示すように、表示器４３に一覧表示する。
【００６８】
このように構成された第２実施形態のＳＴＴＤ機能試験システムにおいては、操作者（試験実施者）は、第１アンテナ２ａの信号線１３ａを第１の測定器１０ａの入力端子１２に接続し、第２アンテナ２ａの信号線１３ｂを第２の測定器１０ｂの入力端子１２に接続する。そして、測定制御装置１１ａの操作部３４からトリガ発生回路５１を介して、第１、第２の測定器１０ａ、１０ｂへトリガ信号を同時に印加する。
【００６９】
その結果、第１の測定器１０ａにおいて第１のＷ−ＣＤＭＡ信号１４ａ（第１アンテナ２ａ）の第１コードデータ４４が抽出されて表示器４３に表示される。同時に、第２の測定器１０ｂにおいて第２のＷ−ＣＤＭＡ信号１４ｂ（第２アンテナ２ｂ）の第２コードデータ４６が抽出されて表示器４３に表示される。さらに、第２アンテナ２ｂの第２コード復号データ４５、及び基地局１ｂのＳＴＴＤエンコーダ６に対する良否の判定結果が表示される。
【００７０】
したがって、第１実施形態のＳＴＴＤ機能試験システムと、ほぼ同様の作用効果を奏することが可能となる。
【００７１】
さらに、この第２実施形態のＳＴＴＤ機能試験システムにおいては、第１アンテナ２ａから出力される第１のＷ−ＣＤＭＡ信号１４ａと第２アンテナ２ｂから出力される第２のＷ−ＣＤＭＡ信号１４ｂとを第１、第２の測定器１０ａ、１０ｂで同時刻で受信して、基地局１ｂのＳＴＴＤエンコーダ６に対する評価を実施している。したがって、ＳＴＴＤエンコーダ６に対する評価精度をより一層向上できる。
【図面の簡単な説明】
【００７２】
【図１】本発明の第１実施形態に係わるＳＴＴＤ機能試験システムの全体構成を示す模式図
【図２】同第１実施形態のＳＴＴＤ機能試験システムの試験対象としての基地局の概略構成を示すブロック図
【図３】同第１実施形態のＳＴＴＤ機能試験システムに組込まれた測定器及び測定制御装置の概略構成を示すブロック図
【図４】Ｗ−ＣＤＭＡ信号の伝送フォーマット図
【図５】同第１実施形態のＳＴＴＤ機能試験システムに組込まれた測定制御装置の表示器の表示内容を示す図
【図６】同じく同第１実施形態のＳＴＴＤ機能試験システムに組込まれた測定制御装置の表示器の表示内容を示す図
【図７】本発明の第２実施形態に係わるＳＴＴＤ機能試験システムの全体構成を示す模式図
【図８】同第２実施形態のＳＴＴＤ機能試験システムの試験対象としての基地局の概略構成を示すブロック図
【図９】同第２実施形態のＳＴＴＤ機能試験システムに組込まれた測定器及び測定制御装置の概略構成を示すブロック図
【図１０】一般的な移動通信システムの模式図
【図１１】一般的な移動通信システムに組込まれた基地局の模式図
【図１２】ＳＴＴＤエンコーダの符号化動作を示す模式図
【符号の説明】
【００７３】
１，１ａ，１ｂ…基地局、２…ダイバーシチアンテナ、２ａ…第１アンテナ、２ｂ…第１アンテナ、６…ＳＴＴＤエンコーダ、９…送信データ、９ａ…第１送信データ、９ｂ…第２送信データ、１０…測定器、１０ａ…第１の測定器、１０ｂ…第２送信データ、１１，１１ａ…測定制御装置、１２…入力端子、１４ａ…第１のＷ−ＣＤＭＡ信号、１４ｂ…第２のＷ−ＣＤＭＡ信号、１７…試験データ、２７…取込タイミング制御部、２８…データメモリ、３１…スクランブル解除部、３２…逆拡散部、３４…操作部、３５…復調部、３６…アンテナ指定部、３７…第１アンテナデータメモリ、３８…第２アンテナデータメモリ、３９…表示制御部、４０…ＳＴＴＤデコーダ、４１…第２アンテナ復号データメモリ、４２…比較部、４３…表示器、５１…トリガ発生回路
【図１】
2006060559.tif 000003
【図２】
2006060559.tif 000004
【図３】
2006060559.tif 000005
【図４】
2006060559.tif 000006
【図５】
2006060559.tif 000007
【図６】
2006060559.tif 000008
【図７】
2006060559.tif 000009
【図８】
2006060559.tif 000010
【図９】
2006060559.tif 000011
【図１０】
2006060559.tif 000012
【図１１】
2006060559.tif 000013
【図１２】
2006060559.tif 000014